(57)【要約】【課題】移動通信システムにおいて、基地局に記憶された地域情報を無線通信端末に送信することにより、端末ユーザに地域情報サービスを提供可能とする。【解決手段】基地局ＢＳ４は、地域情報データ４０２を記憶する地域情報記憶手段と、地域情報データ４０２を送出する地域情報送出機能４０１とを有する。無線通信端末ＰＳ３０１は、基地局ＢＳ４より送信された地域情報データ４０２を受信する地域情報受信手段と、前記地域情報受信手段により受信した地域情報データを表示する地域情報表示機能３１２とを有する。こうした構成により、無線通信端末において、接続装置（ＢＣＵ）のデータベースを使用することなく、基地局からの情報に基づいて地域情報を表示することができ、回線の占有が長期となることを防止できる。【選択図】　　　　図７
2004007661.tif 000002
【特許請求の範囲】
【請求項１】
複数の基地局と、前記複数の基地局と無線回線を介して通信する無線通信端末とを備えた無線通信システムであって、
前記基地局は、当該基地局の地域情報を記憶する地域情報記憶手段と、前記地域情報記憶手段に記憶された情報を前記無線通信端末からの要求に応じて送信する地域情報送信手段とを有し、
前記無線通信端末は、前記基地局より送信された前記地域情報を受信する地域情報受信手段と、前記地域情報受信手段により受信した地域情報を表示する地域情報表示手段とを有し、
前記基地局は、さらに前記無線通信端末からの信号レベルを測定する信号レベル測定手段と、当該信号レベル測定手段により測定された信号レベルを送信する信号レベル送信手段とを有し、
前記無線通信端末は、前記基地局から送信された地域情報及び信号レベルに基づいて、前記基地局と当該無線通信端末の相対位置を算出する相対位置算出手段とを有し、前記地域情報表示手段は、前記相対位置算出手段の算出結果に基づいて前記基地局と当該無線通信端末を地域情報とともに表示することを特徴とする無線通信システム。
【請求項２】
複数の基地局と、前記複数の基地局と無線回線を介して通信する無線通信端末とを備えた無線通信システムであって、
前記基地局は、当該基地局の地域情報を記憶する地域情報記憶手段と、前記地域情報記憶手段に記憶された情報を送信する地域情報送信手段とを有し、
前記無線通信端末は、前記基地局より送信された前記地域情報を受信する地域情報受信手段と、前記地域情報受信手段により受信した地域情報を表示する地域情報表示手段とを有し、
前記基地局は、さらにチャネル情報を送信するチャネル情報送信手段とを有し、
前記無線通信端末における前記地域情報表示手段は、前記基地局から送信された地域情報及びチャネル情報に基づいて、前記基地局ごとのチャネル情報を地域情報とともに表示することを特徴とする無線通信システム。
【請求項３】
複数の基地局と、前記複数の基地局と無線回線を介して通信する無線通信端末とを備えた無線通信システムであって、
前記基地局は、当該基地局の地域情報を記憶する地域情報記憶手段と、前記地域情報記憶手段に記憶された情報を送信する地域情報送信手段とを有し、
前記無線通信端末は、前記基地局より送信された前記地域情報を受信する地域情報受信手段と、前記地域情報受信手段により受信した地域情報を表示する地域情報表示手段とを有し、
前記無線通信端末における前記地域情報表示手段は、前記複数の基地局から受信した地域情報を組合せて、当該複数の基地局を含む広域の地図情報を表示することを特徴とする無線通信システム。
【発明の詳細な説明】
【０００１】
【発明の属する技術分野】
この発明は、通信分野において無線基地局内に有する情報を書き替える方式およびその基地局によるサービスに関するものである。特に複数の無線基地局が存在するシステムに関するものである。
【０００２】
【従来の技術】
図１７は例えば特開平６ー２６９０４４号公報に示された従来の情報書き換え機能を有した無線装置である。
【０００３】
図１７において、１００１は地域情報の受信を無線を通して行うことができる簡易携帯電話端末（以下ＰＳとする）、１００２、１００３、１００４は複数の地域のそれぞれに設置されて各々の地域情報を無線を通してＰＳ１へ送信する複数の基地局（以下ＢＳとする），１００５はＢＳ１００２〜１００４と回線１０５１により接続され、ＢＳ１００２，１００３，１００４からの要求信号に従って交換機１００７へ回線１０５２を通して通信情報を送受する接続装置（以下ＢＣＵとする）、１００６は複数の地域のそれぞれに対応する地域情報を蓄積しＢＣＵ１００５に接続１０６１を通して接続する地域情報データベースである。
【０００４】
次に従来の技術の動作について説明を行う。
【０００５】
従来の技術では、ＰＳ１００１が地域情報を得る場合には、ＰＳ１００１が相手端末の番号の代わりに地域情報データベース１００６にアクセスするための特定番号を着番号情報要素に含んだ呼設定信号をＢＳ１００４に送信する。ＢＳ１００４はＰＳ１００１からの呼設定信号を受信しＢＣＵ１００５に送る。ＢＣＵ１００５は呼設定信号を受信した回線１０５１の回線番号からＢＳ番号を求め、地域情報データベース１００６からＢＳ１００４の設置場所周辺の地域情報を検索する。地域情報データベース１００６は検索結果をＢＳ１００４に送る。
【０００６】
ＢＳ１００４は地域情報データベース１００６から受信した検索結果をＰＳ１００１に送信する。
【０００７】
ここで、地域情報とは、ＢＳの周辺地域の地域名、通りの名称や周辺地域にある店、公共施設などの情報をいう。
【０００８】
【発明が解決しようとする課題】
以上のような従来の地域情報報知機能を有した無線装置では、地域情報をＢＣＵ側より送出するため、回線の占有が長期となり、またＢＳ個々に地域情報を送る必要があった。
【０００９】
本発明は上記のような問題解決を実現するためのもので、ＢＣＵ側からの情報伝達を行わずＰＳまたはＢＳ間で情報の書き換えを可能とすることであらかじめ情報をＢＳに保有させることを目的とする。
【００１０】
更に、この装置に適したサービスを提供することを目的とする。
【００１１】
【課題を解決するための手段】
第１の発明に係る無線通信システムは、複数の基地局と、前記複数の基地局と無線回線を介して通信する無線通信端末とを備えた無線通信システムであって、前記基地局は、当該基地局の地域情報を記憶する地域情報記憶手段と、前記地域情報記憶手段に記憶された情報を前記無線通信端末からの要求に応じて送信する地域情報送信手段とを有し、前記無線通信端末は、前記基地局より送信された前記地域情報を受信する地域情報受信手段と、前記地域情報受信手段により受信した地域情報を表示する地域情報表示手段とを有し、前記基地局は、さらに前記無線通信端末からの信号レベルを測定する信号レベル測定手段と、当該信号レベル測定手段により測定された信号レベルを送信する信号レベル送信手段とを有し、前記無線通信端末は、前記基地局から送信された地域情報及び信号レベルに基づいて、前記基地局と当該無線通信端末の相対位置を算出する相対位置算出手段とを有し、前記地域情報表示手段は、前記相対位置算出手段の算出結果に基づいて前記基地局と当該無線通信端末を地域情報とともに表示することを特徴とするものである。
【００１２】
第２の発明に係る無線通信システムは、複数の基地局と、前記複数の基地局と無線回線を介して通信する無線通信端末とを備えた無線通信システムであって、前記基地局は、当該基地局の地域情報を記憶する地域情報記憶手段と、前記地域情報記憶手段に記憶された情報を送信する地域情報送信手段とを有し、前記無線通信端末は、前記基地局より送信された前記地域情報を受信する地域情報受信手段と、前記地域情報受信手段により受信した地域情報を表示する地域情報表示手段とを有し、前記基地局は、さらにチャネル情報を送信するチャネル情報送信手段とを有し、前記無線通信端末における前記地域情報表示手段は、前記基地局から送信された地域情報及びチャネル情報に基づいて、前記基地局ごとのチャネル情報を地域情報とともに表示することを特徴とするものである。
【００１３】
第３の発明に係る無線通信システムは、複数の基地局と、前記複数の基地局と無線回線を介して通信する無線通信端末とを備えた無線通信システムであって、前記基地局は、当該基地局の地域情報を記憶する地域情報記憶手段と、前記地域情報記憶手段に記憶された情報を送信する地域情報送信手段とを有し、前記無線通信端末は、前記基地局より送信された前記地域情報を受信する地域情報受信手段と、前記地域情報受信手段により受信した地域情報を表示する地域情報表示手段とを有し、前記無線通信端末における前記地域情報表示手段は、前記複数の基地局から受信した地域情報を組合せて、当該複数の基地局を含む広域の地図情報を表示することを特徴とするものである。
【００１４】
【発明の実施の形態】
実施の形態１．
実施の形態１の発明に係る情報書き換え機能を有した無線装置の実施の形態を図１に示す。
【００１５】
図において、１は簡易携帯電話端末（以下、ＰＳとする）、１１はＰＳ１の保有する情報であり、例えば、地域情報、周波数の設定データ、基地局の識別子（ＩＤ）、制御用データがある。１２はコマンドコードとして機能する情報書き換え種別コード、３は基地局（以下、ＢＳとする）、３１はＢＳ３が保有する情報である。ＢＳ３は、情報３１をメモリ等の記憶手段に保有している。
【００１６】
次に動作について説明する。
【００１７】
ＢＳ３は、情報３１をメモリ等の記憶手段に保有している。まず、ＰＳ１より情報書き換え種別コード１２と情報１１を、図示しない送信手段により無線回線を介してＢＳ３に対して送出する。ＢＳ３はこの情報を図示しない受信手段により受信し、情報書き換え種別コード１２を検出して、ともに受信した情報１１の内容に情報３１を書き換える。このようにして、ＰＳ１とＢＳ３は同じ内容を有する情報を保有することになる。
【００１８】
以上のようにこの実施の形態に記載された発明に係る無線通信システムは、無線通信端末ＰＳ１と、前記無線通信端末ＰＳ１と無線回線を介して通信する基地局ＢＳ３とを備えた無線通信システムであって、前記ＰＳ１は、情報と情報書き換え種別コードを記憶する第１の記憶手段と、前記第１の記憶手段に記憶された前記第１の情報と前記情報種別書き換えコードを送信する送信手段とを有し、前記ＢＳ３は、前記ＰＳ１より送信された前記第１の情報と前記情報種別書き換えコードとを受信する受信手段と、前記受信手段より受信した前記情報種別書き換えコードに基づいて前記第１の情報を記憶する第２の記憶手段とを有するので、ＰＳ１とＢＳ３間で同じ情報を保有することができる。
実施の形態２．
次に、基地局間の情報のやりとりについて説明する。
【００１９】
情報書き換え機能を有した基地局の例を図２に示す。
【００２０】
図において、２、３は共に基地局（ＢＳ）であり、共に無線通信範囲内にある。ＢＳ２は情報２１、コマンドコードとして機能する情報書き換え種別コード２２を図示しない記憶手段に保有している。一方、ＢＳ３は情報３１を保有している。
【００２１】
次に動作について説明する。
【００２２】
ＢＳ２より情報書き換え種別コード２２と情報２１を図示しない送信手段によりＢＳ３に対して無線回線を介して送出する。ＢＳ３はＢＳ２より送信された情報書き換え種別コード２２と情報２１を図示しない受信手段により受信する。ＢＳ３は、情報書き換えコード２２を検出し、ともに送出された情報２１の内容に情報３１を書き換える。このようにして、ＢＳ２とＢＳ３は同じ内容を有する情報を保有することになる。
【００２３】
この実施の形態に記載された発明に係る無線通信システムは、無線通信端末と無線回線を介して通信する第１の基地局ＢＳ２と、無線通信端末と無線回線を介して通信するとともに前記ＢＳ２と通信するＢＳ３とを備えた無線通信システムであって、ＢＳ２は、第１の情報と情報種別書き換えコードを記憶する第１の記憶手段と、前記第１の記憶手段に記憶された前記第１の情報と前記情報種別書き換えコードを送信する送信手段を有し、前記ＢＳ３は、前記ＢＳ２より送信された前記第１の情報と前記情報種別書き換えコードとを受信する受信手段と、前記受信手段より受信した前記情報種別書き換えコードに基づいて前記第１の情報を記憶する第２の記憶手段とを有するので、基地局間で同じ情報を保有することができる。
実施の形態３．
実施の形態３の発明に係わる情報書き換え機能を有した無線装置の例を図３に示す。
【００２４】
図において、ＰＳ１は情報１１及び情報書き換え種別コード１２をメモリ等の記憶手段に保有している。ＢＳ２は、情報２１及び情報書き換え種別コード２２を同様に記憶手段に保有している。ＢＳ３は情報３１を同様に記憶手段に保有している。この例において、ＰＳ１はＢＳ２の無線エリア内にある。ＢＳ２とＢＳ３は無線通信できる範囲内にある。
【００２５】
ＰＳ１より情報書き換え種別コード１２と情報１１が図示しない送信手段によりＢＳ２に対して無線回線を介して送信される。ＢＳ２はこれらの情報書き換え種別コード１２と情報１１を前記無線回線を介して受信する。ＢＳ２は、情報書き換え種別コード１２を検出し、ともに送出された情報１１に情報２１を書き換える。このようにして、ＰＳ１とＢＳ２は同じ内容を有する情報を保有することができる。
【００２６】
次にＢＳ２は情報書き換え種別コード２２と情報２１をＢＳ３に対して無線回線を介して送出する。ＢＳ３はこれらの情報書き換え種別コード２２と情報２１を受信する。さらにＢＳ３は、情報書き換え種別コード２２を検出し、ともに送出された情報２１に情報３１を書き換える。情報３１は新しく情報２１と同じ内容を有する。
【００２７】
このようにして、ＰＳ１の情報１１をＢＳ２およびＢＳ３においても保有することになる。
【００２８】
この実施の形態に記載された発明に係る無線通信システムは、無線通信端末ＰＳ１と、前記ＰＳ１と無線回線を介して通信するＢＳ２と、前記ＢＳ２と通信するＢＳ３とを備えた無線通信システムであって、前記ＰＳ１は、第１の情報と第１の情報種別書き換えコードを記憶する第１の記憶手段と、前記第１の記憶手段に記憶された前記第１の情報と前記第１の情報種別書き換えコードを送信する第１の送信手段とを有し、ＢＳ２は、前記無線通信端末より送信された前記第１の情報と前記第１の情報種別書き換えコードとを受信する第１の受信手段と、前記第１の受信手段より受信した前記第１の情報種別書き換えコードに基づいて前記第１の情報を記憶しさらに第２の情報種別書き換えコードを記憶する第２の記憶手段と、前記第２の記憶手段に記憶された前記第１の情報と前記第２の情報種別書き換えコードを送信する第２の送信手段を有し、ＢＳ３は、前記ＢＳ２より送信された第１の情報と前記第２の情報種別書き換えコードとを受信する第２の受信手段と、前記第２の受信手段より受信した前記第２の情報種別書き換えコードに基づいて前記第１の情報を記憶する第３の記憶手段とを有するので、無線通信端末と複数の基地局間で同じ情報を保有することができる。
実施の形態４．
実施の形態４に記載の発明に係る情報書き換え機能を有した無線装置を図４に示す。
【００２９】
ＰＳ１は記憶手段により情報１１と情報書き換え種別コード１２を、ＢＳ２は記憶手段により情報２１と情報書き換え種別コード２２を、ＢＳ３は記憶手段により情報３１と情報書き換え種別コード３２を、ＢＳ４は記憶手段により情報４１と情報書き換え種別コード４２を、ＢＳ５は記憶手段により情報５１と情報書き換え種別コード５２を、ＢＳ２０１は記憶手段により情報２０１１と情報書き換え種別コード２０１２を、ＢＳ２０２は記憶手段により情報２０２１と情報書き換え種別コード２０２２を、ＢＳ２は記憶手段により情報１１と情報書き換え種別コード１２を、ＢＳ２０３は記憶手段により情報２０３１と情報書き換え種別コード２０３２を、それぞれ記憶している。
【００３０】
この例において、ＰＳ１はＢＳ２の無線エリア内にある。ＢＳ３、ＢＳ４はＢＳ２の無線エリア内に、ＢＳ５はＢＳ３の無線エリア内に、ＢＳ２０１はＢＳ５の無線エリア内に、ＢＳ２０２、ＢＳ２０３はＢＳ２０１の無線エリア内にそれぞれ位置する。
【００３１】
次に動作について説明する。
【００３２】
ＰＳ１は、情報書き換え種別コード１２と情報１１をＢＳ２に対して図示しない送信手段により無線回線を介して送出する。ＢＳ２はこれら情報を無線で受信し、情報書き換え種別コード１２を検出し、ともに送出された情報１１に情報２１を書き換える。このようにして、ＢＳ２はＰＳ１と同様の情報１１を保有することになる。
【００３３】
ＢＳ２は、情報２１を情報書き換え種別コード２２とともにＢＳ３とＢＳ４に対して、図示しない送信手段により送信する。ＢＳ３はＢＳ２より情報２１及び情報書き換え種別コード２２を受信し、情報書き換え種別コード２２を検出し、情報２１に情報３１を書き換える。ＢＳ４もＢＳ３と同様に情報２１と情報書き換え種別コード２２を受信し、情報書き換え種別コード２２を検出し、情報２１に情報４１を書き換える。
【００３４】
ＢＳ３は、情報３１を情報書き換え種別コード３２とともにＢＳ５に対して送信する。ＢＳ５はＢＳ３より情報３１及び情報書き換え種別コード３２を受信し、情報書き換え種別コード３２を検出し、情報３１に情報５１を書き換える。ＢＳ５は、情報５１を情報書き換え種別コード５２とともにＢＳ２０１に対して送信する。ＢＳ２０１はＢＳ５より情報５１及び情報書き換え種別コード５２を受信し、情報書き換え種別コード５２を検出し、情報５１に情報２０１１を書き換える。
【００３５】
ＢＳ２０１は、情報２０１１を情報書き換え種別コード２０１２とともにＢＳ２０２及びＢＳ２０３に対して送信する。ＢＳ２０２はＢＳ２０１より情報２０１１及び情報書き換え種別コード２０１２を受信し、情報書き換え種別コード２０１２を検出し、情報２０１１に情報２０２１を書き換える。ＢＳ２０３はＢＳ２０１より情報２０１１及び情報書き換え種別コード２０１２を受信し書き換え種別コード２０１２を検出し、情報２０１１に情報２０３１を書き換える。
【００３６】
このようにして、ＰＳ１の情報１１をＢＳ２、ＢＳ３、ＢＳ４、ＢＳ５、ＢＳ２０１、ＢＳ２０２、ＢＳ２０３においても保有することになる。
【００３７】
この実施の形態に記載された発明に係る無線通信システムは、特に前記ＢＳ３は、さらに第３の記憶手段において第３の情報種別書き換えコードを記憶し、また、当該第３の記憶手段に記憶された前記第１の情報と前記第３の情報種別書き換えコードを送信する第３の送信手段と有し、前記無線通信システムは、さらに前記ＢＳ３より送信された第１の情報と前記第３の情報種別書き換えコードとを受信する第３の受信手段と、前記第３の受信手段より受信した前記第３の情報種別書き換えコードに基づいて前記第１の情報を記憶する第４の記憶手段とを有するＢＳ５とを備えているので、特に無線通信端末と３台以上基地局において同じ情報を保有することができる。
実施の形態５．
実施の形態５の発明に係わる情報書き換え機能を有した無線装置を図５に示す。
【００３８】
ＰＳ１は情報１１と情報書き換え種別コード１９を記憶手段により記憶している。ＢＳ２は情報２１、ＩＤコード２３、情報書き換え種別コード２９を保有している。ＢＳ２にはＩＤコード２３として「１１１００２」が割り当てられている。ＢＳ３は情報３１、ＩＤコード３３、情報書き換え種別コード３９を保有している。ＢＳ３にはＩＤコード３３として「１１１００３」が割り当てられている。ＢＳ４は情報４１、ＩＤコード４３、情報書き換え種別コード４９を保有している。ＢＳ４にはＩＤコード４３として「１１１００４」が割り当てられている。ＢＳ５は情報５１、ＩＤコード５３、情報書き換え種別コード５９を保有している。ＢＳ５にはＩＤコード５３として「１１１００５」が割り当てられている。
【００３９】
ＢＳ２０１は情報２０１１、ＩＤコード２０１３、情報書き換え種別コード２０１９を保有している。ＢＳ２０１にはＩＤコード２０１３として「１１２００１」が割り当てられている。ＢＳ２０２は情報２０２１、ＩＤコード２０２３を保有している。ＢＳ２０３は情報２０３１、ＩＤコード２０３３を保有している。尚、ＰＳ１、ＢＳ２、ＢＳ３、ＢＳ４、ＢＳ５、ＢＳ２０１のそれぞれの情報書き換え種別コードには、ＩＤ指定コードが含まれている。
【００４０】
この例において、ＰＳ１はＢＳ２の無線エリア内にある。ＢＳ３、ＢＳ４はＢＳ２の無線エリア内に、ＢＳ５はＢＳ３の無線エリア内に、ＢＳ２０１はＢＳ５の無線エリア内に、ＢＳ２０２、ＢＳ２０３はＢＳ２０１の無線エリア内にそれぞれ位置する。
【００４１】
次に動作について説明する。ＰＳ１は、上位３桁が１１１のＩＤコードを有する基地局を指定するため、「１１１ｘｘｘ」の内容を有するＩＤ指定コードを含む情報書き換え種別コード１９を基地局に対して無線により送信する。ＢＳ２はＩＤコード２３として「１１１００２」を有するため、ＰＳ１から情報１１を受信し、情報２１を情報１１の内容に書き換える。このようにして、ＢＳ２はＰＳ１の情報１１を保有することになる。
【００４２】
次にＢＳ２はＢＳ３、ＢＳ４に対して情報２１と「１１１ｘｘｘ」の内容を有するＩＤ指定コードを含む情報書き換え種別コード２９を送信する。ＢＳ３及びＢＳ４はそれぞれ「１１１００３」、「１１１００４」のＩＤコードを有するため、ＢＳ２からの情報を受信し、それぞれ情報３１、情報４１を情報２１の内容に書き換える。
【００４３】
ＢＳ３はＢＳ５に対して情報３１と「１１１ｘｘｘ」の内容を有するＩＤ指定コードを含む情報書き換え種別コード３９を送信する。ＢＳ５は「１１１００５」のＩＤコードを有するため、ＢＳ３からの情報を受信し、それぞれ情報５１を情報３１の内容に書き換える。
【００４４】
さらにＢＳ５はＢＳ２０１に対して情報５１と「１１１ｘｘｘ」の内容を有するＩＤ指定コードを含む情報書き換え種別コード５９を送信する。しかしながら、ＢＳ２０１のＩＤコード２０１３は「１１２００１」であるため、情報の書き換えは行われない。
【００４５】
このようにして、すべての基地局でなく、一部の基地局を選択して、ＰＳ１の情報１１を提供することができる。
【００４６】
この実施の形態に記載された発明に係る無線通信システムは、特に前記情報種別書き換えコードは基地局の識別子（ＩＤ）を指定するＩＤ指定コードを含み、基地局は当該ＩＤ指定コードにより指定された場合に受信した情報を記憶することを特徴とするものなので、無線通信端末ＰＳ１から、特定の基地局のみ選択して、情報を保有させることができる。
実施の形態６．
実施の形態６の発明に係わる情報書き換え機能を有した無線装置を図６に示す。
【００４７】
ＰＳ１は情報１１と情報書き換え種別コード１２を有する。この情報１１には各ＢＳのＩＤコード毎のデータが含まれている。ＢＳ２は情報２１、ＩＤコード２３、固有データ２４及び情報書き換え種別コード２２を有する。ＢＳ３は情報３１、ＩＤコード３３、固有データ３４及び情報書き換え種別コード３２を有する。ＢＳ４は情報４１、ＩＤコード４３、固有データ４４及び情報書き換え種別コード４２を有する。
【００４８】
この例において、ＰＳ１はＢＳ２の無線エリア内にある。ＢＳ３、ＢＳ４はＢＳ２の無線エリア内に位置する。
【００４９】
次に動作について説明する。ＰＳ１より情報書き換え種別コード１２と情報１１をＢＳ２に無線で送出する。ＢＳ２はこの情報を無線で受信し、ＩＤコード２３に該当する部分のデータのみを保持し、固有データ２４として保有する。なお情報２１は情報１１の内容に書き換えられる。情報２１は新しく情報１１と同じ内容となる。
【００５０】
ＢＳ２より情報書き換え種別コード２２と情報２１をＢＳ３・ＢＳ４に無線で送出する。電波を受信できる範囲の基地局装置であるＢＳ３およびＢＳ４はこの情報を無線で受信し、固有のＩＤコードに該当する部分の情報をそれぞれ固有データ３４、４４として保存する。なお情報３１、４１は情報２１の内容に書き換えらる。またＢＳ２内の情報２１の中のＢＳ３、ＢＳ４固有のデータは消去される。
【００５１】
このようにして、ＰＳ１から、ＢＳ毎に異なる情報を提供することができる。
【００５２】
この実施の形態に係る無線通信システムは、特に情報種別書き換えコードは基地局の識別子（ＩＤ）を指定するＩＤ指定コードを含み、前記情報はＩＤに対応した情報を含み、前記基地局は当該ＩＤ指定コードにより指定された場合に受信した前記情報のうち自己のＩＤに対応した情報を記憶することを特徴とするものなので、無線通信端末から、複数の基地局の各々に対応した情報を保有させることができる。
実施の形態７．
実施の形態７に記載の情報書き換え機能を有した無線装置を図７に示す。
【００５３】
図において、ＢＳ４は地域情報送出機能４０１、地域情報データ４０２、データ書き換え機能４０３を有している。また、ＰＳ３０１は、地域情報要求機能３１１、地域情報表示機能３１２、地域情報保持機能３１３を有している。
【００５４】
ＰＳ３０１が地域情報を得る場合の動作について説明する。
【００５５】
まず、ＰＳ３０１は地域情報要求機能３１１により相手端末の番号の代わりに地域情報をアクセスするための特定番号を含んだ呼設定信号をＢＳ４に送信する。ＢＳ４はＰＳ３０１からの呼設定信号を受信すると、設置場所周辺の地域情報４０２を地域情報送出機能４０１によりＰＳ３０１に送信する。ＰＳ３０１は受信した地域情報をＰＳ内メモリー３１３に保持し、必要に応じて、ＰＳのメモリー読みだし操作により、表示機能３１２により表示する。地域情報にはＢＳの位置が含まれる。
【００５６】
表示イメージを図８に示す。
【００５７】
このようにして、ＰＳにおいて、地域情報を表示することができる。
実施の形態８．
実施の形態８に係わる情報書き換え機能を有した無線装置の実施の形態を図９に示す。
【００５８】
ＢＳ４は、地域情報送出機能４０１、地域情報データ４０２、データ書き換え機能４０３を有している。また、ＰＳ３０１は、地域情報要求機能３１１、地域情報表示手段として機能する地域情報表示機能３１２、地域情報保持機能３１３、相対位置算出手段として機能するＢＳーＰＳ相対位置算出機能３１４、信号レベル測定手段を有している。
【００５９】
ＰＳ３０１が地域情報を得る場合の動作について説明する。
【００６０】
ＰＳ３０１が地域情報要求機能３１１により相手端末の番号の代わりに地域情報をアクセスするための特定番号を含んだ呼設定信号をＢＳ４に送信する。ＢＳ４はＰＳ３０１からの呼設定信号を受信すると、設置場所周辺の地域情報４０２を地域情報送出機能４０１によりＰＳ３０１に送信する。ＰＳ３０１は受信した地域情報をＰＳ内メモリー３１３に保持し、必要に応じて、ＰＳのメモリー読みだし操作により表示機能３１２により表示する。
【００６１】
また、ＰＳは各ＢＳからのＬＣＣＨ信号（論理制御チャネル）の受信電界レベルを測定し、レベルの高い順番に３つのＢＳを選択し、それらのＢＳからの相対位置をＢＳ−ＰＳ算出機能３１４で算出し、地図上にＢＳとＰＳの位置を表示を行う。
【００６２】
表示イメージを図１０に示す。
【００６３】
この実施の形態に係る無線通信システムは、無線通信端末ＰＳ３０１は、さらに複数の基地局からの信号レベルを測定する信号レベル測定手段と、前記信号レベル測定手段の測定結果に基づいて表示する基地局を選択し当該選択された基地局と当該無線通信端末の相対位置を算出する相対位置算出手段とを有し、前記地域情報表示手段は、前記相対位置算出手段の算出結果に基づいて前記基地局と当該無線通信端末を地域情報とともに表示することを特徴とするので、地域情報のみならず、基地局と無線通信端末も表示することができる。
実施の形態９．
実施の形態９の情報書き換え機能を有した無線装置の実施の形態を図１１に示す。
【００６４】
ＢＳ４は、地域情報送出機能４０１、地域情報データ４０２、データ書き換え機能４０３、受信レベル測定部４０４を有している。また、ＰＳ３０１は、地域情報要求機能３１１、地域情報表示機能３１２、地域情報保持機能３１３、相対位置算出手段として機能するＢＳーＰＳ相対位置算出機能３１４を有している。
【００６５】
ＰＳ３０１が地域情報を得る場合の動作について説明する。
【００６６】
ＰＳ３０１が地域情報要求機能３１１により相手端末の番号の代わりに地域情報をアクセスするための特定番号を含んだ呼設定信号をＢＳ２、３、４に送信する。ＢＳ２、３、４はＰＳ３０１からの呼設定信号を受信すると、設置場所周辺の地域情報４０２と受信レベル測定部４０４で測定したＰＳからの受信レベルを地域情報送出機能４０１によりＰＳ３０１に送信する。ＰＳ３０１は受信した地域情報をＰＳ内メモリー３１３に保持し、必要に応じて（ＰＳのメモリー読みだし操作により）表示機能３１２により表示する。その時、各ＢＳからの受信レベルの値からＢＳとの相対位置をＢＳ−ＰＳ相対位置算出機能３１４で算出し、地図上にＢＳとＰＳの位置を表示を行う。
【００６７】
表示イメージを図１２に示す。
【００６８】
この実施の形態に係る無線通信システムは、前記基地局は、さらに前記無線通信端末からの信号レベルを測定する信号レベル測定手段と、当該信号レベル測定手段により測定された信号レベルを送信する信号レベル送信手段とを有し、前記無線通信端末は、前記基地局から送信された地域情報及び信号レベルに基づいて、前記基地局と当該無線通信端末の相対位置を算出する相対位置算出手段とを有し、前記地域情報表示手段は、前記相対位置算出手段の算出結果に基づいて前記基地局と当該無線通信端末を地域情報とともに表示することを特徴とするので、地域情報のみならず、基地局と無線通信端末も表示することができる。さらに、無線通信端末において信号レベル測定手段を有しないので、無線通信端末を小型化・省電力化できる。
実施の形態１０．
実施の形態１０の情報書き換え機能を有した無線装置の実施の形態を図１３に示す。
【００６９】
ＢＳ４は、地域情報送信手段及び遅延時間送信手段として機能する情報地域情報送出機能４０１、地域情報データ４０２、データ書き換え機能４０３、遅延時間測定手段として機能する受信レベル及びタイミング測定部４０５を有している。また、ＰＳ３０１は、地域情報要求機能３１１、地域情報表示機能３１２、地域情報保持機能３１３、ＢＳーＰＳ相対位置算出機能３１４を有している。
【００７０】
ＰＳ３０１が地域情報を得る場合の動作について説明する。ＰＳ３０１が地域情報要求機能３１１により相手端末の番号の代わりに地域情報をアクセスするための特定番号を含んだ呼設定信号をＢＳ２、３、４に送信する。ＢＳ２、３、４はＰＳ３０１からの呼設定信号を受信すると、設置場所周辺の地域情報４０２と受信タイミング測定部４０４で測定した遅延時間を地域情報送出機能４０１によりＰＳ３０１に送信する。
【００７１】
ＰＳ３０１は受信した地域情報等をＰＳ内メモリー３１３に保持し、必要に応じて、ＰＳのメモリー読みだし操作により表示機能３１２により表示する。
【００７２】
その時、各ＢＳからの遅延時間の値からＢＳとの相対位置をＢＳ−ＰＳ相対位置算出機能３１４で算出し、地図上にＢＳとＰＳの位置を表示を行う。
【００７３】
表示イメージを図１４に示す。
【００７４】
この実施の形態に係る無線通信システムは、基地局は、さらに前記無線通信端末からの信号の遅延時間を測定する遅延時間測定手段と、当該遅延時間測定手段により測定された遅延時間情報を送信する遅延時間送信手段とを有し、前記無線通信端末は、前記基地局から送信された地域情報及び遅延時間情報に基づいて、前記基地局と当該無線通信端末の相対位置を算出する相対位置算出手段とを有し、前記地域情報表示手段は、前記相対位置算出手段の算出結果に基づいて前記基地局と当該無線通信端末を地域情報とともに表示することを特徴とするものなので、地域情報のみならず、基地局と無線通信端末も表示することができる。
実施の形態１１．
実施の形態１１の情報書き換え機能を有した無線装置を図１５に示す。
【００７５】
ＢＳ２、ＢＳ３、ＢＳ４は空きチャネル等のチャネル情報を送信するチャネル情報送信手段を有する。ＰＳ３０１は、地域情報表示手段と有する。
【００７６】
ＰＳ３０１では、ＢＳ２，ＢＳ３，ＢＳ４からの地域情報を受信し、地図情報を表示している表示画面に、実施の形態９、１０により地図上にＢＳとＰＳの位置を表示を行う。
【００７７】
次に、ＢＳ２，ＢＳ３，ＢＳ４から報知情報により空きチャネル状態を受信し、地図上に表示された各ＢＳの位置に空きチャネル状態を示す表示を行う。この表示は、マークにより行っているが、数字、文字、グラフ等により空きチャネル状態を示してもよい。
【００７８】
この実施の形態に係る無線通信システムは、基地局は、さらにチャネル情報を送信するチャネル情報送信手段とを有し、前記無線通信端末における前記地域情報表示手段は、前記基地局から送信された地域情報及びチャネル情報に基づいて、地域情報及びチャネル情報を表示することを特徴とするものなので、基地局のチャネル情報も表示できる。
実施の形態１２．
実施の形態１２に係わる情報書き換え機能を有した無線装置の実施の形態を図１６に示す。
【００７９】
ＰＳ３０１には、地域情報表示手段が備えられている。
【００８０】
ＢＳ２，ＢＳ３，ＢＳ４、ＢＳ５は各々が位置する近辺の地図情報Ｆ２、Ｆ３、Ｆ４、Ｆ５を保有している。
【００８１】
ＰＳ３０１では、ＢＳ２，ＢＳ３，ＢＳ４、ＢＳ５からの地域情報を受信する。
【００８２】
次に、各ＢＳからの地域情報Ｆ２、Ｆ３、Ｆ４、Ｆ５を組み合わせ、広域の地図情報を生成し、保持する。
【００８３】
次に、この広域の地図情報を表示画面に表示し、実施の形態９、１０により地図上にＢＳとＰＳの位置を表する。
【００８４】
この実施の形態に係る無線通信システムは、無線通信端末における前記地域情報表示手段は、前記複数の基地局から受信した地域情報に基づいて、当該複数の基地局を含む広域の地図情報を表示することを特徴とするものなので、広域の地図情報を表示できる。
【００８５】
【発明の効果】
以上のようにこの発明によれば、無線通信端末ＰＳから基地局ＢＳ、基地局ＢＳから基地局ＢＳへの情報書き換えが可能なように構成したのでネットワーク側の閉塞不要となる効果がある。特に各実施の形態に記載された発明は次のような効果を奏する。
【００８６】
第１の発明に係る無線通信システムは、複数の基地局と、前記複数の基地局と無線回線を介して通信する無線通信端末とを備えた無線通信システムであって、前記基地局は、当該基地局の地域情報を記憶する地域情報記憶手段と、前記地域情報記憶手段に記憶された情報を前記無線通信端末からの要求に応じて送信する地域情報送信手段とを有し、前記無線通信端末は、前記基地局より送信された前記地域情報を受信する地域情報受信手段と、前記地域情報受信手段により受信した地域情報を表示する地域情報表示手段とを有し、前記基地局は、さらに前記無線通信端末からの信号レベルを測定する信号レベル測定手段と、当該信号レベル測定手段により測定された信号レベルを送信する信号レベル送信手段とを有し、前記無線通信端末は、前記基地局から送信された地域情報及び信号レベルに基づいて、前記基地局と当該無線通信端末の相対位置を算出する相対位置算出手段とを有し、前記地域情報表示手段は、前記相対位置算出手段の算出結果に基づいて前記基地局と当該無線通信端末を地域情報とともに表示することを特徴とするので、地域情報のみならず、基地局と無線通信端末も表示することができる。さらに、無線通信端末において信号レベル測定手段を有しないので、無線通信端末を小型化・省電力化できる。
【００８７】
第２の発明に係る無線通信システムは、複数の基地局と、前記複数の基地局と無線回線を介して通信する無線通信端末とを備えた無線通信システムであって、前記基地局は、当該基地局の地域情報を記憶する地域情報記憶手段と、前記地域情報記憶手段に記憶された情報を送信する地域情報送信手段とを有し、前記無線通信端末は、前記基地局より送信された前記地域情報を受信する地域情報受信手段と、前記地域情報受信手段により受信した地域情報を表示する地域情報表示手段とを有し、前記基地局は、さらにチャネル情報を送信するチャネル情報送信手段とを有し、前記無線通信端末における前記地域情報表示手段は、前記基地局から送信された地域情報及びチャネル情報に基づいて、前記基地局ごとのチャネル情報を地域情報とともに表示することを特徴とするものなので、基地局のチャネル情報も表示できる。
【００８８】
第３の発明に係る無線通信システムは、複数の基地局と、前記複数の基地局と無線回線を介して通信する無線通信端末とを備えた無線通信システムであって、前記基地局は、当該基地局の地域情報を記憶する地域情報記憶手段と、前記地域情報記憶手段に記憶された情報を送信する地域情報送信手段とを有し、前記無線通信端末は、前記基地局より送信された前記地域情報を受信する地域情報受信手段と、前記地域情報受信手段により受信した地域情報を表示する地域情報表示手段とを有し、前記無線通信端末における前記地域情報表示手段は、前記複数の基地局から受信した地域情報を組合せて、当該複数の基地局を含む広域の地図情報を表示することを特徴とするものなので、広域の地図情報を表示できる。
【図面の簡単な説明】
【図１】実施の形態１の原理構成を示すブロック図である。
【図２】実施の形態２の原理構成を示すブロック図である。
【図３】実施の形態３の原理構成を示すブロック図である。
【図４】実施の形態４の原理構成を示すブロック図である。
【図５】実施の形態５の原理構成を示すブロック図である。
【図６】実施の形態６の原理構成を示すブロック図である。
【図７】実施の形態７の原理構成を示すブロック図である。
【図８】実施の形態７の表示例である。
【図９】実施の形態８の原理構成を示すブロック図である。
【図１０】実施の形態８の表示例である。
【図１１】実施の形態９の原理構成を示すブロック図である。
【図１２】実施の形態９の表示例である。
【図１３】実施の形態１０の原理構成を示すブロック図である。
【図１４】実施の形態１０の表示例である。
【図１５】実施の形態１１の原理構成を示すブロック図である。
【図１６】実施の形態１２の原理構成を示すブロック図である。
【図１７】従来の技術の原理構成を示すブロック図である。
【符号の説明】
１　無線端末、２　基地局装置、３　基地局装置、４　基地局装置、５　基地局装置、１１　無線端末内の情報、１２　無線端末内の情報書き換え種別コード、１９　無線端末内の情報書き換え種別コード（ＢＳＩＤ指定）、２１　基地局装置内の情報、２２　基地局装置内の情報書き換え種別コード、２３　基地局装置ＩＤコード、２４　基地局装置固有データ、２９　基地局装置内の情報書き換え種別コード（ＢＳＩＤ指定）、３１　基地局装置内の情報、３２　基地局装置内の情報書き換え種別コード、３３　基地局装置ＩＤコード、３４　基地局装置固有データ、３９　基地局装置内の情報書き換え種別コード（ＢＳＩＤ指定）、４１　基地局装置内の情報、４２　基地局装置内の情報書き換え種別コード、４３　基地局装置ＩＤコード、４４　基地局装置固有データ、４９　基地局装置内の情報書き換え種別コード（ＢＳＩＤ指定）、５１　基地局装置内の情報、５２基地局装置内の情報書き換え種別コード、５３　基地局装置ＩＤコード、５４基地局装置固有データ、５９　基地局装置内の情報書き換え種別コード（ＢＳＩＤ指定）、２０１１　基地局装置内の情報、２０１２　基地局装置内の情報書き換え種別コード、２０１３　基地局装置ＩＤコード、２０１４　基地局装置固有データ、２０１９　基地局装置内の情報書き換え種別コード（ＢＳＩＤ指定）、２０２１　基地局装置内の情報、２０２２　基地局装置内の情報書き換え種別コード、２０２３　基地局装置ＩＤコード、２０２４　基地局装置固有データ、２０２９　基地局装置内の情報書き換え種別コード（ＢＳＩＤ指定）、２０３１基地局装置内の情報、２０３２　基地局装置内の情報書き換え種別コード、　２０３３　基地局装置ＩＤコード、　基地局装置固有データ、２０３９　基地局装置内の情報書き換え種別コード（ＢＳＩＤ指定）、２０１　基地局装置、２０２　基地局装置、２０３　基地局装置、３０１　簡易携帯電話端末（データ書き換え機能なし）、３１１　地域情報要求機能、３１２　地域情報表示機能、３１３　地域情報保持機能、３１４　ＢＳ−ＰＳ相対位置算出機能、４０１　地域情報送出機能、４０２　地域情報データ、４０３　データ書き換え機能、４０４　受信レベル測定部、４０５　受信レベル及びタイミング測定部、１００１　携帯電話端末、１００２　基地局装置、１００３　基地局装置、１００４　基地局装置、１００５　基地局接続装置、１００６　地域情報データベース、１００７　交換機、１０５１　基地−接続装置間回線、１０６１　地域情報データベース−基地接続装置間回線、Ｆ２　基地詳細データ、Ｆ３　基地詳細データ、Ｆ４　基地詳細データ、Ｆ５　基地詳細データ。
【図１】
2004007661.tif 000003
【図２】
2004007661.tif 000004
【図３】
2004007661.tif 000005
【図４】
2004007661.tif 000006
【図５】
2004007661.tif 000007
【図６】
2004007661.tif 000008
【図７】
2004007661.tif 000009
【図８】
2004007661.tif 000010
【図９】
2004007661.tif 000011
【図１０】
2004007661.tif 000012
【図１１】
2004007661.tif 000013
【図１２】
2004007661.tif 000014
【図１３】
2004007661.tif 000015
【図１４】
2004007661.tif 000016
【図１５】
2004007661.tif 000017
【図１６】
2004007661.tif 000018
【図１７】
2004007661.tif 000019